(57)【要約】      （修正有）【課題】排尿等による悪臭を確実に防止することが可能であり、排尿場所に偏りがある場合でも効果的に排尿処理を行うことが可能となる動物用トイレを提供する。【解決手段】蓋部１５及び底面部１１ａを有し、中空箱型形状である排尿容器１１とを備え、前記蓋部１５には複数の排尿口１５ｂが形成されており、前記各排尿口１５ｂと連通している複数の導尿路を備えるとともに、いずれかの前記導尿路といずれかの前記処理体収容容器２２とが連通している動物用トイレＴ１とした。【選択図】図１
2011244722.tif 000002
【特許請求の範囲】
【請求項１】
有蓋及び有底の中空箱型形状である排尿容器と、複数の処理体収容容器と、を備え、
前記蓋部には複数の排尿口が形成されており、
前記各排尿口と連通している複数の導尿路を備えるとともに、
いずれかの前記導尿路といずれかの前記処理体収容容器とが連通していることを特徴とする動物用トイレ。
【請求項２】
前記各処理体収容容器は、別体の収容具に配設されるとともに、
前記収容具は、前記排尿容器から取出し自在となるように形成されており、
前記処理体収容容器が取替可能となるように構成されていることを特徴とする請求項１に記載の動物用トイレ。
【請求項３】
前記排尿容器には開口部が形成されており、
前記収容具は、前記排尿容器の開口部から取出し自在となるように形成されているとともに
前記開口部の周縁部には、気密性を保持するための介装部材が設けられていることを特徴とする請求項１に記載の動物用トイレ。
【請求項４】
非吸水性の吸着材料を含み、粒状に成型されている複数個の第１粒状処理体が、前記蓋部の上面に敷設されており、
粒状の芯部と前記芯部を被覆する被覆層部とを有する複層構造であり、前記被覆層部が接着材料を含み、排尿を吸収することにより塊状となるように形成されている複数個の第２粒状処理体が、前記各処理体収容容器に収容されていること、を特徴とする請求項１乃至請求項３のいずれか１項に記載の動物用トイレ。
【請求項５】
非吸水性の吸着材料を含み、粒状に成型されている複数個の第１粒状処理体が、前記蓋部の上面に敷設されており、
複数枚のシート状吸液処理体を備え、
前記シート状吸液処理体が前記各処理体収納容器に収容されていること、を特徴とする請求項１乃至請求項３のいずれか１項に記載の動物用トイレ。
【請求項６】
前記導尿路に、複数個の前記第１粒状処理体が敷設されていることを特徴とする請求項４又は請求項５に記載の動物用トイレ。
【発明の詳細な説明】
【技術分野】
【０００１】
本発明は、愛玩動物等の動物用トイレに関する。
【背景技術】
【０００２】
近時、室内での愛玩動物等の飼育が非常に盛んになってきており、排泄物の処理を効果的に行うための動物用トイレが提案されている。例えば、図５に示すように、トイレ１０’の上部を多孔質部材１５’によって上下に区画し、当該多孔質部材１５’の上面に撥水機能を保持させた砂３１’を設け、下方の床面１３’に粒状等の吸尿部材３２’を敷設したペットの糞尿処理用床Ｔ’が存在している（参考文献１）。
【先行技術文献】
【特許文献】
【０００３】
【特許文献１】特開平７−６７４８９号公報
【発明の概要】
【発明が解決しようとする課題】
【０００４】
しかし、従来の動物用トイレＴ’では、多孔質部材１５’の上面に設けられている砂３１’が撥水機能を有しているため、排尿を下方に透過させる役割を果たすにすぎず、下方の吸尿部材３２’のみで排尿を吸収するにすぎないものであった。そのため、排尿等による悪臭を効果的に防止することができないという問題が存在していた。
また、従来の動物用トイレＴ’では、排尿が局所的になされると、一部分の吸尿部材３２’のみが用いられて処理能力が低下するため、頻繁に吸尿部材３２’を取り替えなければならないという問題点が存在していた。
【０００５】
本発明は、上記の問題点を解決するためになされたものであり、排尿等による悪臭を確実に防止することが可能であり、排尿場所に偏りがある場合でも効果的に排尿処理を行うことが可能となる動物用トイレを提供することを目的とする。
【課題を解決するための手段】
【０００６】
上記課題を解決するために、本発明の動物用トイレは、有蓋及び有底の中空箱型形状である排尿容器と、複数の処理体収容容器と、を備え、上記蓋部には複数の排尿口が形成されており、上記各排尿口と連通している複数の導尿路を備えるとともに、いずれかの上記導尿路といずれかの上記処理体収容容器とが連通していることを特徴としている。
【０００７】
ここで、連通とは、空間が連続していて通水可能（導水可能）である状態を意味するものである。
また、蓋部と導尿路は取付及び取り外しが自在な別体であっても、一体成型されているものであってもよい。
また、上記排尿口、上記導尿路又は上記処理体収容容器の少なくとも二つの数を同数とすれば、簡易な構造で排尿を処理することができるため好適である。
【０００８】
本発明の動物用トイレは、有蓋及び有底の中空箱型形状であり、その内部に排尿を保持することができるため、効果的に臭気を防止することができる。また、後記するように、その外部又は内部に複数の粒状の排尿処理体を設けて、排尿を処理することが可能な構造とすることができる。
【０００９】
また、本発明によれば、複数の処理体収容容器を備え、蓋部に形成されている複数の排尿口と、当該各排尿口と連通している複数の導尿路を備えるとともに、いずれかの上記導尿路といずれかの上記処理体収容容器とが連通している。そのため、局所的に排尿がなされた場合であっても、導尿路により排尿が導かれ、所定の領域に排尿が分散されて処理されることから、一定箇所に排尿が集中することを防止することができ、効果的に排尿を処理することができる。
【００１０】
また、上記動物用トイレにおいて、上記各処理体収容容器は、排尿容器と一体成型されていてもよいが、別体の収容具に配設されるとともに、上記収容具は、上記排尿容器から取出し自在となるように形成されており、上記処理体収容容器が取替可能となるように構成されていることとすれば、清掃作業等を容易に行うことができるため好適である。
【００１１】
ここで、上記収容具は、排尿容器から容易に取り出すことができるとともに、その内部に後記する第２粒状処理体（後記、シート状吸液処理材の場合も同様）を入れた場合に、容易に取り替えることが可能となる構造であれば、トレイ材、箱体等、その形状は問わないものである。
【００１２】
また、上記動物用トイレにおいて、前記排尿容器には開口部が形成されており、上記収容具は、上記排尿容器の開口部から取出し自在となるように形成されているとともに、上記開口部の周縁部には、気密性を保持するための介装部材が設けられていることとすれば、排尿から発せられる臭気が排尿容器の外部に放出されることをより効果的に防止することができるため好適である。
【００１３】
ここで、介装部材は、収容具の取り出し、又は、装備等を阻害することなく、通常の使用時において開口部の間隙を塞ぐことができる材質及び形態であればどのようなものでもよく、例えば、シール部材や、合成樹脂製等の材質であり、変形可能なカーテン状の部材などを用いることができる。
【００１４】
また、上記動物用トイレにおいて、非吸水性の吸着材料を含み、粒状に成型されている複数個の第１粒状処理体が、上記蓋部の上面に敷設されており、粒状の芯部と上記芯部を被覆する被覆層部とを有する複層構造であり、上記被覆層部が接着材料を含み、排尿を吸収することにより塊状となるように形成されている複数個の第２粒状処理体が、上記各処理体収容容器に収容されていることとすることができる。
【００１５】
本発明によれば、性質の異なる複数の粒状処理体を使用して、排尿の処理を行うことができるため、効果的に悪臭を防止することができる。
すなわち、本発明の動物用トイレによれば、吸着材料を含む第１粒状処理体が吸着機能により消臭性能を有するため防臭効果を奏することができる。
また、第２粒状処理体は、粒状の芯部と上記芯部を被覆する被覆層部とを有する複層構造であり、当該被覆層部は接着材料を含み、排尿を吸収することにより、塊状となるように形成されているため、第１粒状処理体により処理された排尿を吸収し、塊状にして処理することができる。
【００１６】
さらに、複数の処理体収容容器を設け、各々に第２粒状処理体を収容しているため、当該処理体収容容器が取り替え可能となっていれば、使用状態が偏るなどの理由により、一部の第２粒状処理体のみの取り替え等が必要になった場合であっても、その部分のみに収容されている第２粒状処理体のみを取り替えることができることから、その取替費用を抑えることが可能となるとともに、清掃等の排尿後の手入れを容易に行うことができる。
【００１７】
また、上記動物用トイレにおいて、非吸水性の吸着材料を含み、粒状に成型されている複数個の第１粒状処理体が、上記蓋部の上面に敷設されており、複数枚のシート状吸液処理体を備え、上記シート状吸液処理体が上記各処理体収容容器に収容されていることとすることもできる。
【００１８】
本発明によっても、上記の動物用トイレと同様の効果を奏することができる。加えて、第２粒状処理体のかわりに、シート状吸液処理材を使用していることから、さらに、その取り替えが容易となり、清掃時等の作業が容易となる。
【００１９】
また、上記動物用トイレにおいて、上記導尿路に、複数個の上記第１粒状処理体が敷設されていることとすれば、さらに、排尿の吸着を効果的に行うとともに、優れた消臭効果を発揮させることができる。
【発明の効果】
【００２０】
本発明によれば、排尿等による悪臭を確実に防止することが可能であり、排尿場所に偏りがある場合でも効果的に排尿処理を行うことが可能となる動物用トイレを提供することができる。
【図面の簡単な説明】
【００２１】
【図１】本発明の動物用トイレ（第１実施形態）の排尿容器を示す斜視図である。
【図２】本発明の動物用トイレの断面図である。
【図３】本発明の動物用トイレ（第１実施形態）の使用状態を示す斜視図である。
【図４】本発明の動物用トイレ（第２実施形態）を示す斜視図である。
【図５】従来の動物用トイレを示す断面図である。
【発明を実施するための形態】
【００２２】
本発明を実施するための一形態（以下、「実施形態」という。）について、図面を参照して詳細に説明する。なお、以下の説明において、同一の部材等には同一の符合を付し、重複した説明を省略する。
【００２３】
＜第１実施形態＞
図１及び図２に示すように、本発明の動物用トイレＴ１（第１実施形態）は、排尿容器１０と、当該排尿容器１０に充填されている複数個の第１粒状処理体３１と、第２粒状処理体３２とから構成されている。
【００２４】
（１）排尿容器１０
排尿容器１０は、合成樹脂を原材料として直方体状の箱形に形成されている。この排尿容器１０は、底部１１ａ及び周壁部１１ｂを有する中空状の容器本体１１と、当該容器本体１１の上面を塞ぐための蓋部１５から形成されており、後記する開口部を除いて、所定の水密性及び気密性が保たれている。
【００２５】
蓋部１５は、容器本体１１の上面を塞ぐ形状に形成され、当該容器本体１１から容易に取り外しが可能となるように被嵌されている。また、蓋部１５は、第１粒状処理体３１を敷設するために所定の深さとなるように凹部１５ａが形成されており、６個の円形状の排尿口１５ｂが短手方向に２列、長手方向に３列となるように、所定間隔で穿設されている。
なお、蓋部１５は、その上部に愛玩動物が載り、排尿を行うために所定の耐久性能を有している。また、蓋部１５には、排尿が排尿口１５ｂに導かれるように、適度の傾斜が形成されている。
【００２６】
蓋部１５の下面には、各排尿口１５ｂと連通するように、上端から下端に向かって徐々に断面積が縮小されている四角錐台形状である６つの導尿路２１が下方に突出するように一体的に形成されている。この導尿路２１は、上面の断面積が後記第２処理体収容カップ２２とほぼ同面積であるとともに、その下端部（下面）の中心線（垂線）が、排尿口１５ｂの中心線と一致するように設けられている。この導尿路２１は、排尿口１５ｂから滴下した排尿を受け、第２処理体収容カップ２２（処理体収容容器）に導くために設けられており、その内部は中空となっている。
また、平面視で面積が狭くなっている下端部には、複数の排尿滴下孔２１ａが形成されており、当該部分から排尿が滴下するようになっている。なお、排尿滴下孔２１ａは、排尿のみを通水させ、第１粒状処理体３１を導尿路２１に留めておくことができるような形状及び数とする必要がある。
【００２７】
蓋部１５の凹部１５ａ、排尿口１５ｂの内部及び導尿路２１には、多量の第１粒状処理体３１が充填されている。これにより、排尿滴下孔２１ａが直接的に外気と接しないように閉塞されており、第２処理体収容カップ２２から伝わる臭気が排尿容器１０の外部に発せられないようになっている。
【００２８】
容器本体１１の短手方向の一側面において、中間高さから下方位置には、後記収容トレイ１３（別体の収容具）を引き出し及び挿入するための側面開口部１１ｃ（開口部）が形成されている。そして、上記側面開口部１１ｃには、端部が当該側面開口部１１ｃを塞ぐ形状であり、容器本体１１の下側空間に嵌装されるよう、所定の高さ寸法を有し、上部が開口した直方体である収容トレイ１３が取出自在（移動自在）となるように設けられている。
この側面開口部１１ｃの口字形状の周縁部には、気密性を高めるために矩形薄板形状に形成されているビニル樹脂製又はゴム等である複数枚のカーテン材１６（介装部材）が変形自在に設けられている。このカーテン材１６は、上記収容トレイ１３が容器本体１１に嵌装されている場合には、押圧されて変形することにより、容器本体１１の内部に収納され、収容トレイ１３と側面開口部１１ｃの隙間を塞ぐ役割を果たすとともに、収容トレイ１３が外部に引き出されている際には、下向き、横向き又は上向きの形状に戻るようになっている。
【００２９】
上記収容トレイ１３には、上面が開口しており、有底で壁部を有する中空の直方体形状の第２処理体収容カップ２２が、短手方向に２列、長手方向に３列となるように、合計６個、隣接するカップとほぼ隙間がないように設けられている。これらの第２処理体収容カップ２２は、内側にポリエチレンラミネート加工が施されている紙性又はポリエチレンテレフタレート等の合成樹脂製のカップである。
なお、導尿路２１の下面が、第２処理体収容カップ２２の上面の開口部のほぼ中央部に位置するように配置されている。
【００３０】
上記第２処理体収容カップ２２は、後記する複数の第２粒状処理体３２で満たされている。上記第２処理体収容カップ２２は、収容トレイ１３上に、固着されているのではなく、取出自在となるように載置されているため、収容トレイ１３を排尿容器本体１１から取り出し、所望の第２処理体収容カップ２２を取り上げて、充填されている第２粒状処理体３２を容易に交換することができるようになっている。
【００３１】
なお、符合１３ａは、収容トレイ１３を外部に取り出したり、容器本体１１の内部に挿入するときに把持するための取手である。
【００３２】
上記構成により、収容トレイ１３を容器本体１１の内部に嵌装した状態において、側面開口部１１ｃが閉塞され、底部１１ａ及び周壁部１１ｂと一体となり、所定の水密性と気密性が保たれ、臭気が外部に漏れ難い構造となっている。
【００３３】
（２）第１粒状処理体３１
第１粒状処理体３１は、コーヒー抽出残渣と、接着剤を主な構成材料としており、それらの構成材料が混練されている。この第１粒状処理体３１は、ほぼ水分を吸水しない非吸水型の粒状処理体である。その形状は、小塊の形状に形成されていればよく、完全な球形等である必要はないものであり、柱状体（細長形）、扁平形等、その形状は問わないものである。
なお、この第１粒状処理体３１は、押出造粒等の公知の造粒方法で製造することができるが、吸水性を有しないように、一般的な粒状体と比較して高硬度に形成される必要がある。
【００３４】
コーヒー抽出残渣は、焙煎コーヒー豆から、缶コーヒー、インスタントコーヒー等のコーヒー飲料の製造時に、コーヒー抽出液を焙煎コーヒー豆から抽出した際に排出される抽出残渣であり、所謂コーヒー粕である。このコーヒー抽出残渣は、コーヒー抽出液が抽出されたものであるが、コーヒー成分が残留しているため、香気が発せられるとともに、外部からの水分が与えられると、褐色のコーヒー抽出液が生じることとなっている。
このコーヒー抽出残渣は、粒状処理体の全重量に対して、８０重量％乃至９９重量％であることが、吸臭作用及び香気作用を効果的に奏させるためには好適である。
【００３５】
また、接着剤は、第１粒状処理体３１を粒状に成形するために用いるものであり、公知の材料を用いることができる。但し、第１粒状処理体３１は非吸水型の性質を有するため、接着剤は、吸水性を有さない性質であることが好適である。なお、接着剤を多量に使用しない場合には、微粉砕した（微粉砕することにより、吸水性能が低下する）吸水性の接着剤を使用することもできる。
【００３６】
（３）第２粒状処理体３２
第２粒状処理体３２は、芯部と、この芯部の表面を被覆する被覆層部とから形成される複層構造を有しており、それらの構成材料が混練されている。この第２粒状処理体３２は、水分を吸収する吸収型の粒状処理体である。
なお、この第２粒状処理体３２も、押出造粒等の公知の造粒方法で製造することができる。
【００３７】
［芯部］
芯部は、吸水性能を有していればコーヒー抽出残渣以外の材料には特に制限はなく（コーヒー抽出残渣は必須の構成材料）、ベントナイト、ゼオライト等の無機質材料や、製紙用パルプ、ケナフ、パルプスラッジ等の有機質廃材の単体又は複数の混合物を素材とし、これらの素材に吸水性樹脂を配合したものを基材として、それらの構成材料を混練して製造することができる。
【００３８】
［被覆層部］
被覆層部は、使用時に尿等で濡れた第２粒状処理体３２同士を付着させて塊状とさせ、排尿をその周囲から包み込む等の作用を奏させること主な目的としている。このような被覆層部の構成材料の例としては、吸水性樹脂又は接着材料（接着性を有する材料）又は両材料の混合物と、紙粉の混合物を用い、これらを混練して製造することが好適である。
接着材料としては、例えば、糊料やポリアクリル酸ナトリウム等の高吸水性樹脂がある。このような接着剤として機能する糊料としては、馬鈴薯澱粉、小麦澱粉、甘藷澱粉、コーンスターチ、タピオカ澱粉、米澱粉、デキストリン、各アルファ（α）化した澱粉などの澱粉類、アクリルアミド、ＰＶＡ、カルボキシメチルセルロース又はアルギン酸ナトリウムを使用することができ、又はこれら二以上を組み合わせて使用することができる。また、その他の接着材料としては、高吸水性樹脂、ビニルエステル、ベントナイト、プルラン、カゼイン又はゼラチンなどがあり、これらは、単独で使用されるか、又はこれら２種以上を混合して使用される。また、アルコール溶解性の接着材料としては、ヒドロキシエチルセルロース（ＨＥＣ）、ヒドロキシプロピルセルロース（ＨＰＣ）又はポリビニルピロリドン（ＰＶＰ）などがあり、この場合も同様に、単独で使用されるか、又はこれら２種以上を混合して使用することができる。
【００３９】
［作用効果等］
続いて、本発明の動物用トイレＴ１の使用方法を説明する。
まず、所定量の第１粒状処理体３１及び第２粒状処理体３２を、それぞれ、蓋部１５の凹部１５ａ等及び各第２処理体収容カップ２２に充填する。このとき、第１粒状処理体３１から発せられるコーヒーの香気が室内空間に向けて発せられている。
【００４０】
続いて、蓋部１５の上側から愛玩動物に排尿させる。すると、排尿は、個々の第１粒状処理体３１の内部や周囲を通過して下方に滴下し、その過程で、コーヒー抽出残渣等の吸着作用によりアンモニア臭等の悪臭が吸臭されながら、所定の排尿口１５ｂ及び導尿路２１を通過しながら下方に滴下する。
【００４１】
そして、排尿滴下孔２１ａを通過して、第２処理体収容カップ２２に充填されている第２粒状処理体３２に達する。第２粒状処理体３２では、被覆層部が排尿を吸収するとともに、隣接する第２粒状処理体３２の被覆層部が排尿により付着して塊３３となり、排泄物をその周囲から包み込む等の作用を奏することになる。そのため、排尿部分を容易に確認することができる。
【００４２】
第２粒状処理体３２の塊３３が増加した場合には、収容トレイ１３を引き出し、当該塊３３となった第２粒状処理体３２のみを取り出して廃棄したり、第２処理体収容カップ２２ごと、新しい第２粒状処理体３２が充填されている第２処理体収容カップ２２に交換する（図３参照）。そして新しい第２粒状処理体３２を補充して、収容トレイ１３を容器本体１１の内部に嵌装することになる。
【００４３】
また、第１粒状処理体３１は、第２粒状処理体３２と比較して、長期間使用することができるが、所定の期間が経過した後は、蓋部１５を取り外して取り換えたり、排尿口１５ｂから使用後の第１粒状処理体３１を取り出して、その内部を洗浄し、新たな第１粒状処理体３１を充填して使用することになる。なお、場合によっては、一体成型された蓋部１５を取り替えることもできる。
【００４４】
以上にように、本発明の動物用トイレＴ１によれば、性質の異なる２種類の粒状処理体を使用することにより、排尿の処理を効果的に行うことができる。
すなわち、コーヒー抽出残渣を含む第１粒状処理体３１が、消臭性能を有するため排尿の有する悪臭を防止できるとともに、コーヒー抽出残渣が発するコーヒーの香気による香気作用を奏させるため、特段の配慮なく芳香剤としての効果を発揮させることができる。この第１粒状処理体３１は、排尿をほとんど吸収せず、透過させるだけであるため、一度の使用で崩壊することがなく、乾燥することによりその性状及び外観等に大きな変化を生じないため、複数回にわたって、繰り返して使用することができる。
なお、第１粒状処理体３１は、繰返して使用することにより、徐々に崩壊していくことになるが、崩壊して粒状になるほど、排尿との接触面積が増えるため、優れた脱臭効果が発揮されることになる。
【００４５】
また、第２粒状処理体３２は、複層構造を有しており、吸水することにより塊３３となるため、使用部分を容易に認識することができ、当該塊３３となった部分だけを容易に除去することができる。
【００４６】
また、複数（本実施形態では６つ）の第２処理体収容カップ２２を備え、蓋部１５に形成されている複数の排尿口１５ｂと、当該各排尿口１５ｂと連通している複数の導尿路２１を備えるとともに、上記導尿路２１と上記第２処理体収容カップ２２とが連通している。そのため、局所的に排尿がなされた場合であっても、所定の導尿路２１により排尿が導かれ、所定の領域（容器本体１１の平面面積の１／６の領域）に排尿が分散されて処理されることから、一定箇所に排尿が集中することを防止することができ、効果的に排尿を処理することができる。
【００４７】
また、複数の第２処理体収容カップ２２を設け、その中に第２粒状処理体３２を収容しているため、使用状態が偏るなどの理由により、一部の第２粒状各処理体３２のみの取り替え等が必要になった場合であっても、その部分のみに収容されている第２粒状処理体３２のみを取り替えることができるため、その取替費用を抑えることが可能となるとともに、清掃等の排尿後の手入れを容易に行うことができる。
【００４８】
また、第２処理体収容カップ２２は、収容トレイ１３に取出自在となるように載置されているため、当該収容トレイ１３を容器本体１１から引き出すだけで、第２粒状処理体２１を容易に取り替ることができる。
加えて、側面開口部１１ｃの周縁部には、気密性を保持するためのカーテン材１６が設けられているため、収容トレイ１３が排尿容器１０に収納されている場合において、排尿から発せられる臭気が当該排尿容器１０の外部に放出されることを効果的に防止することができる。
【００４９】
また、排尿容器１０は、蓋部１５及び底面１１ａ部を有し、中空箱型形状であり、所定の気密性及び水密性を備えているため、外部に悪臭を発散させることを防止することができる。
【００５０】
また、蓋部１５の排尿口１５ｂ、導尿路２１及び第２処理体収容カップ２２を同数とし、それぞれが高さ方向に並設されているため、簡易な構造で、排尿を排尿口１５ｂから、導尿路２１及び第２処理体収容カップ２２へ導くことができる。
【００５１】
＜第２実施形態＞
図４に示すように、本発明の動物用トイレＴ２（第２実施形態）は、排尿容器１０と、当該排尿容器１０に充填されている複数個の第１粒状処理体３１と、複数枚（本実施形態では６枚）の排尿吸収シート４２（シート状吸液処理材）から構成されている。
【００５２】
本実施形態の動物用トイレＴ２は、第１実施形態の動物用トイレＴ１における第２処理体収容カップ２２のかわりに、排尿を吸収するための排尿吸収シート４２を敷設した点が大きく異なっている。
収容トレイ１３’には、排尿吸収シート４２の敷設を容易にするために、当該排尿吸収シートと略同一の形状となるように、縦方向及び横方向に仕切部材１４が設けられている。そして、各排尿吸収シート４２は、導尿路２１の下端部の真下がほぼその中央部に位置するように、収容トレイ１３’の各区画に敷設されている。この排尿吸収シート４２も、第１実施形態の動物用トイレＴ１における第２吸水処理材収容カップ２２の場合と同様に、収容トレイ１３’を容器本体１１の外部に引き出して、容易に取り替えることが可能となっている。
【００５３】
また、この排尿吸収シート４２は、排尿を吸収可能なものでれば、その種類は問わないものである。すなわち、排尿吸収シート４２は、吸液性材料を所定の厚さのシート状に形成したものであればよく、単層若しくは不透水性のシート材を下層に設けた複層構造のいずれであってもよい。
【００５４】
本動物用トイレＴ２を使用した場合、愛玩動物の排尿は、第１粒状処理体３１によって処理されながら、蓋部１５の排尿口１５ｂ及び導尿路２１の排尿滴下孔２１ａから排尿吸収シート４２に流下し、吸収限界量に達するまで、当該排尿吸収シート４２吸収されて処理されることになる。そして、排尿吸収シート４２が吸収限界量に達した場合には、第１実施形態の動物用トイレＴ１の場合と同様に、収容トレイ１３’を引き出し、所望の排尿吸収シート４２のみを交換することができる。
【００５５】
このように、本実施形態の動物用トイレＴ２を使用した場合においても、第１実施形態の動物用トイレＴ１とほぼ同様の効果を奏することができる。
また、第２粒状処理体３２を用いる場合と比べて、排尿吸収シート４２の交換は容易であるため、さらに、使用後の後始末を簡易に行うことができる。
【００５６】
以上、本発明について、好適な実施形態についての一例を説明したが、本発明は当該実施形態に限られず、本発明の趣旨を逸脱しない範囲で適宜設計変更が可能である。
特に、排尿容器の形状、材質等に制限はなく、有蓋、有底、有周壁の構造であり、所定の機密性及び水密性が保たれていればよい。そして、蓋部の排尿口は、動物が排尿可能となるように開口していれば、その位置及び形状等にも制限はない。
【００５７】
また、蓋部、導尿路及び第２処理体収容容器等の形態や、収容具の形態（仕切部材の有無等も含む）にも制限はなく、排尿を第１粒状処理体に透過させた後に第２処理体収容容器に導くことができる構造であればどのような構造でもよい。
【００５８】
また、本実施形態では、蓋部の排尿口、導尿路及び第２処理体収容容器の数を６つとした場合を例として説明したが、排尿口、導尿路及び第２処理体収容容器の数には制限はなく、動物用トイレの大きさ等により、適切に定められるものである。
また、導尿路の排尿滴下孔の形状及び数に関しても制限はなく、スリット状や網目状に形成されるものであってもよい。
また、排尿容器は、透明材料で形成されていれば、その内部の状況が認識可能となるため特に好適である。
【００５９】
さらに、第１粒状処理体には、コーヒー抽出残渣ではなく、日本茶、紅茶、烏龍茶等の各種の茶殻或いは木粉等を使用することができる。但し、茶殻を使用した場合には、第２粒状処理体の構成材料には、コーヒー抽出残渣ではなく、第１粒状処理体に用いた茶殻と同種類の茶殻を使用することが好ましいものである。
【符号の説明】
【００６０】
Ｔ１，Ｔ２      動物用トイレ
１０      排尿容器
１１      容器本体
１１ｃ    側面開口部
１３，１３’      収容トレイ（別体の収容具）
１５      蓋部
１５ａ    凹部
１５ｂ    排尿口
１６      カーテン材（介装部材）
２１      導尿路
２１ａ    排尿滴下孔
２２      第２処理体収容カップ（処理体収容容器）
３１      第１粒状処理体
３２      第２粒状処理体
４２      排尿吸収シート（シート状吸液処理材）
【図１】
2011244722.tif 000003
【図２】
2011244722.tif 000004
【図３】
2011244722.tif 000005
【図４】
2011244722.tif 000006
【図５】
2011244722.tif 000007